(57)【要約】      （修正有）【課題】安定した俯瞰角度を有するヘッドランプを提供する。【解決手段】額部の台座３０に装着することが可能であり、その台座上には円錐スイング運動するヘッドランプ本体１０が含まれる。その特徴がヘッドランプ本体の底部が一横方向の回転軸２０に連結され、その回転軸が台座の上方に位置され、また、台座の上には一つのネジ部品２３が設けられている。ネジ部品の内壁ネジが回転軸側面をネジ締めるロック用ネジ４０により、回転軸へのロックを実現し、非常に良いロック強度及び調整機能が得られる。【選択図】図１
0003188977.tif 000002
【実用新案登録請求の範囲】
【請求項１】
安定的な俯瞰角度のヘッドランプであり、それには額部の台座に装着することが可能であり、その台座上には円錐スイング運動するヘッドランプ本体が含まれる。以下の特徴がある。
前記ヘッドランプ本体の底部が固体的に一横方向の回転軸に接続され、その回転軸が水平的に台座の上方に位置され、それとは螺旋的な回転配合関係が持たれ；
前記台座上に一つのネジ部分が設けられていて、前記部分の内壁ネジが前記回転軸側面をネジ締めて固定できる一個のロックネジへのネジ配合関係が用いられるヘッドランプ。
【請求項２】
請求項１で述べられるような俯瞰角度の安定式なヘッドランプであって、その特徴が、前記回転軸の両端が前記台座上の二つの軸穴と回転配合関係が用いられ、前記ヘッドランプ本体が固体的に両軸穴の間に接続されるヘッドランプ。
【請求項３】
請求項２で述べられるような俯瞰角度の安定式なヘッドランプであって、その特徴が、前記回転軸には両端の端キャップとその端キャップの間の中空段が含まれ、前記中空段の内部がヘッドランプ本体の空間と連結されて、前記端キャップの処には一つの接線口が設けられているヘッドランプ。
【請求項４】
請求項３で述べられるような俯瞰角度の安定式なヘッドランプであって、その特徴が、前記ネジ段が中空段の側面に位置し、前記ロック用ネジと回転軸のロックされる表面がその中空段の側面であるヘッドランプ。
【請求項５】
請求項４で述べられるような俯瞰角度の安定式なヘッドランプであって、その特徴が、前記軸穴が同じ側面に位置し、それにより相互連結への補強部分があり、前記ネジ段がその補強部に位置し、且その厚さが補強部の他の処より厚いヘッドランプ。
【請求項６】
請求項１〜５で述べられるような俯瞰角度の安定式なヘッドランプであって、その特徴が、前記回転軸と前記ロックネジとの接触部が金属表面であり、前記ロックネジと回転軸が接している頂端の間には一個の保護パットがあるヘッドランプ。
【請求項７】
請求項１〜５の中で述べられるような任意俯瞰角度の安定式なヘッドランプであって、その特徴が、前記台座上には両端に位置する二つの側帯空と側面端の一個の頂空帯があり、前記ネジ部品が前記頂空帯に位置するヘッドランプ。
【請求項８】
請求項１〜５の中で述べられるような任意の俯瞰角度の安定式なヘッドランプであって、その特徴が、前記ヘッドランプ本体がＬＥＤ光源であるヘッドランプ。
【考案の詳細な説明】
【技術分野】
【０００１】
本考案がポータブル式照明器具に及び、具体的には俯瞰角度域での安定する装着式ヘッドランプである。
【背景技術】
【０００２】
ヘッドランプが使用者の頭部に固定するポータブル式な照明器具であり、そのヘッドランプ本体が通常使用者の額部に設置されている。その出力光が比較的に狭い光束のものである。よって、装備された後に、照明が要求を満たすためにその照射角度を調整する必要とされ、そして、色々な場合に於いては調整の必要性があり、同じようなヘッドランプが異なる環境下にも使用が可能である。
【０００３】
通常，この類なヘッドランプには全部自動ロック機能のある回転軸が存在し、随時に回転し、自動ロックされ、随時に調節することができる。比較的に多くみられるようなものが摩擦力或はロック用ネジ類の弾性部品により自動ロック機能を完成する。即ち、頭上にあるヘッドランプ本体部品の回転を停止することにより、相対的に固定されている照射角度が得られる。しかし実際の使用中には、衝突及び調整回数の影響を考慮に入れ、ヘッドランのプ自動ロック機能が往々にして容易的に不安定性が生じる或は効力を失う。その時に、ヘッドランプが重力或は衝撃の影響下ではその俯瞰角度が保持される事無く、使用者には不便をもたらし。緊急の際には、危険を伴うこともしばしばである。
【考案の概要】
【課題を解決するための手段】
【０００４】
前述のように現有のヘッドランプの自動ロック機能の不安定性及び容易な失効の問題の為に、本考案が安定した俯瞰角度域ヘッドランプを提唱する。その技術方案が以下の通りである：
安定する俯瞰角度のヘッドランプであり、それには額部の台座に装着することが可能であり、その台座上には円錐スイング運動するヘッドランプ本体が含まれる。その特徴が上述ヘッドランプ本体の底部が固体的に一横方向の回転軸に接続され、その回転軸が水平的に台座の上方に位置され、それとはネジ間の回転配合関係が持たれる；
上述台座上に一つのネジ部分が設けられていて、上述部分の内壁ネジが上述回転軸側面をネジ締めて固定できる一個のロックネジへのネジ配合関係が用いられる。
【０００５】
本考案技術提案の中で残された案として、以下の面では改善の余地が残されている：
一比較的に良い実施例の中で上述回転軸の両端それぞれが台座の二つの軸穴とは回転配合関係を持ち、上述ヘッドランプ本体が固体的にこの二つの軸穴の間に連結される。
【０００６】
一比較的に良い実施例の中で上述回転軸には両端の端キャップとその二個の端蓋の間の中空段が含まれ、上述中空段の内部がヘッドランプの本体の中の空間と連結され、その端蓋には一個の接続口がある。
【０００７】
一比較的に良い実施例の中で上述ネジ段が中空段の側面に位置し、上述ロック用ネジと回転軸のロックされる表面がその中空段の側面である。
【０００８】
一比較的に良い実施例の中で、上述軸穴が同じ側面に位置し、それにより相互連結への補強部分があり、上述ネジ段がその補強部に位置し、且その厚さが補強部の他の処より厚い。
【０００９】
一比較的に良い実施例の中で、上述回転軸と上述ロックネジとの接触部が金属表面であり、上述ロックネジと回転軸が接している頂端の間には一個の保護パッとがある。
【００１０】
一比較的に良い実施例の中で、上述台座上には両端に位置する二つの側帯空と側面端の一個の頂空帯があり、上述ネジ部品が上述頂空帯に位置する。
【００１１】
一比較的に良い実施例の中で、上述ヘッドランプ本体がＬＥＤ光源である。
【００１２】
本考案によってもたらす有益な効果については次のようになる：
１．ロックネジを用いて回転軸に対するネジ固定により、良好なロック強度及び調節機能が見られ、（従来通りの）ヘッドランプ本体が衝撃を受け，又は多くの回数のロックの磨耗によりそのロック効果の低下が見られることなく、十分に安定している。
【００１３】
２．回転軸が三段式のものによって構成され、両端の端蓋及び端蓋の間の中空段；中空段の内部とヘッドランプ本体の中の空間との連結、しかもその中の端蓋の一つには接続口がある。端蓋がネジ方式を用いて中空段上に固定するができ、しかも、お互いの間には、ガスケットを入れ加えることができる。そして、ヘッドランプ本体の電気的な連結がそのどちらかの端蓋上にある接続口を通して出力される。このように比較的には良好な密封性を持つヘッドランプ本体が形成され、その組み立ての時間も比較的には便利で且かい迅速である。
【００１４】
３．回転軸の両端がそれぞれ軸穴に対して回転配合関係を持つ。しかし、ヘッドランプ本体が固定的に二つの軸穴の間に連結される。このような形式上の配合関係により、ヘッドランプが底座に対して非常に折れにくい強度が生じ、特にその円錐スイング運動の平面に垂直方向に於いては顕著である。
【図面の簡単な説明】
【００１５】
以下に附図を示しながら実施例を通じて本考案について更なる説明を行う。
【図１】本考案の一実施例の側面図である。
【図２】図１に示される俯瞰図である。
【図３】図１に示される実施例の立体展開図である。
【考案を実施するための形態】
【００１６】
「図１」〜「図３」に本考案の一実施例が示されている。
【００１７】
当該ヘッドランプの本体１０が一円柱状のものであり、中にはＬＥＤ光源があり、ポータブルで携帯しやすい照明器具の一つである。ヘッドランプ１０が垂直方向にある回転軸２０を通して、台座３０の上に配合関係が持たれる。しかも図示のように中空矢印方向が示されるように紙面に対する円錐スイング軌道運動がなされる。「図１」のように回転軸２０の軸線が紙面に垂直し、台座３０の底部が使用者の額に配合関係の維持に使われる。
【００１８】
ネジ部品２３と台座３０が相対的に固定されている。その内壁ネジ部が一個のロック用ネジ４０と配合関係が持たれ、そのネジが回転運動を通じて回転軸２０の側面２２をロックすることが可能である。
【００１９】
このようにしてロック用ネジ４０を使って回転軸２０へのロック構造が非常に良いロック強度及び調節機能が実現され、（従来通りの）ヘッドランプ本体が衝撃を受け，又は多くの回数のロックの磨耗によりそのロック効果の低下が見られることなく、十分に安定している。
【００２０】
「図２」と「図３」の示すように、底座３０には二個の相対称的な軸穴２２があり、回転軸２０の両端がそれぞれ二つの軸穴２２内に回転配合関係がもたれる。ヘッドランプ１０が固体的に二つの軸穴２２の間に連結されている。このような形式上の配合関係により、ヘッドランプ１０が底座３０に対して非常に折れにくい強度が生じ、特にその円錐スイング運動の平面に垂直方向に於いては顕著である。回転軸２０が三段式のものによって構成され、両端の端蓋２５及び端蓋２５の間の中空段２４があり、中空段２４の内部とヘッドランプ本体１０の中の空間と連結される。しかもその中の端蓋２５の一つには接続口２７がある。端蓋２５がネジ方式を用いて中空段２４の上に固定するができ、しかも、お互いの間には、ガスケットを入れ加えることができる。そして、ヘッドランプ本体１０の電気的な接続がそのどちらかの端蓋２５上にある接続口２７を通して出力される。このように比較的には良好な密封性を持つヘッドランプ本体１０が形成され、その組み立ても便利であり、迅速である。固定ロック用の回転軸の部分が中空段２４の側面２２であり、ネジ部品２３が中空段２４の側面に位置している為に、回転軸２０自身が比較的に大きいロックトルクを有することが可能であり、同等な強度下のネジ部品２３、中空段２４のロック力がより強くなるものである。同時に二つの軸穴２２が同じ側面に相互連結の補強部２６があり、この補強部が軸穴２２を一体的に連結し、それには圧力及び引っ張る力に対して抵抗する能力がある。そのネジ部品２３が直接に補強部２６を成型し、且その厚さが補強部２６の他の部分より厚く、強度が高く、非常に良い変形を抵抗する性能を有する。
【００２１】
調節操作の際に「図２」の示すように、ヘッドランプの上方に操作され、下方にあることに相対して、比較的に大きい操作空間がある。「図３」のように、ロック用ネジ４０の頂端が側面２２との接触の処には保護パットがあり、中空段２４が金属材料であり、よってロック及びスリップ止めの効果が良く、強度も高い。
【００２２】
上述事が本実施例の中の比較的に良い実施例であり、これで本実施例の実施範囲が制限されるものではない。即ち、本考案特許範囲及び説明書内容の等価変化及び修飾が皆本考案の範囲内に含まれるものである。
【図１】
0003188977.tif 000003
【図２】
0003188977.tif 000004
【図３】
0003188977.tif 000005
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
安定的な俯瞰角度のヘッドランプであって、額部に装着できる台座と前記台座上に円錐スイング運動できるヘッドランプ本体によって構成され、
前記ヘッドランプ本体の底部に横方向の回転軸が固定的に接続され、前記回転軸が前記台座に対して回転できるように前記台座の上方に設置され、前記台座の上に一つのネジ部品が設けられていて、前記ネジ部品の内壁ネジが前記回転軸側面をネジ締めて固定できるロックネジへのネジ配合関係が用いられることを特徴とするヘッドランプ。
【請求項２】
前記回転軸の両端が前記台座上の二つの軸穴と回転配合関係が用いられ、前記ヘッドランプ本体が両軸穴の間に固接されることを特徴とする、請求項１に記載のヘッドランプ。
【請求項３】
前記回転軸には両端の端キャップと前記端キャップの間の中空段が含まれ、前記中空段の内部がヘッドランプ本体の空間と連結されて、前記端キャップには一つの接線口が設けられていることを特徴とする、請求項２に記載のヘッドランプ。
【請求項４】
前記ネジ段が中空段の側面に位置し、前記ロック用ネジと回転軸のロックされる表面が前記中空段の側面であることを特徴とする、請求項３に記載のヘッドランプ。
【請求項５】
前記軸穴が同じ側面に位置し、それにより相互連結への補強部分があり、前記ネジ段が前記補強部に位置し、且その厚さが補強部の他の処より厚いことを特徴とする、請求項４に記載のヘッドランプ。
【請求項６】
前記回転軸と前記ロックネジとの接触部が金属表面であり、前記ロックネジと回転軸が接している頂端の間には一個の保護パットがあることを特徴とする、請求項１〜５いずれか１項に記載のヘッドランプ。
【請求項７】
前記台座上には両端に位置する二つの側帯空と側面端の一個の頂空帯があり、前記ネジ部品が前記頂空帯に位置するようことを特徴とする、請求項１〜５いずれか１項に記載のヘッドランプ。
【請求項８】
前記ヘッドランプ本体がＬＥＤ光源であることを特徴とする、請求項１〜５いずれか１項に記載のヘッドランプ。